(57)【要約】【課題】携帯自在であり、かつ収容室内の水の流路に変化を生じさせ得るような紫外線殺菌装置の構成を提供すること。【解決手段】ポンプ３によって水を紫外線発光源１の収容室２内に順次循環させることができる紫外線殺菌装置であって、当該収容室２内において、紫外線発光源１の周囲に水の素通りを防止することによって、水の流路を長くすることを可能とする板部５を形成し、かつポンプ３と収容室２とが一体形成されることによって携帯及び移動が自在であることに基づき、前記課題を達成し得る紫外線殺菌装置。【選択図】図３
2007296497.tif 000002
【特許請求の範囲】
【請求項１】
ポンプによって水を紫外線発光源の収容室内に順次循環させることができる紫外線殺菌装置であって、当該収容室内において、紫外線発光源の周囲に水の素通りを防止することによって、水の流路を長くすることを可能とする板部を形成し、かつポンプと収容室とが一体形成されることによって携帯及び移動が自在であることに基づく紫外線殺菌装置。
【請求項２】
水の流路を長くさせる板部がスパイラル状、相互に交錯し合う平行状、相互に交錯し合うジグザグ状の何れかであることを特徴とする請求項１記載の紫外線殺菌装置。
【請求項３】
板部において、紫外線の反射を可能とする鏡面が形成されていることを特徴とする請求項１、２記載の紫外線殺菌装置。
【請求項４】
紫外線発光源の収容装置の周囲壁の全て又は一部が紫外線の反射を可能とする鏡面を形成していることを特徴とする請求項１、２、３記載の紫外線殺菌装置。
【請求項５】
紫外線発光源収容室の内壁が、略球形状であり、全内壁が鏡面を形成していることを特徴とする請求項４記載の紫外線殺菌装置。
【請求項６】
紫外線発光源の収容室において、流出口において水を分流させ、この内の一部を水の流入口側に帰還させていることを特徴とする請求項１、２、３、４、５記載の紫外線殺菌装置。
【請求項７】
紫外線の収容室において、水の流入口にフィルターを設けたことを特徴とする請求項１、２、３、４、５、６記載の紫外線殺菌装置。
【発明の詳細な説明】
【技術分野】
【０００１】
本発明は、水中において紫外線を発光することによって、殺菌を行う装置に関するものである。
【背景技術】
【０００２】
水槽、池などの水中において、魚、水生植物を育成する場合、当該育成中に魚及び植物の排泄物の増加に伴い、病原菌が繁殖し、かつ魚及び植物の生息領域は、順次汚濁した状態となることを避けることができない。
【０００３】
このような状態を是正するため、特許文献１、２に示すように、紫外線発光源の収容室に順次水を循環させ、紫外線の照射によって病原菌を殺菌する紫外線殺菌装置は、既に周知である。
【０００４】
しかも、特許文献３に示すように、当該収容室の壁部を鏡面とすることによって、紫外線を反射させ、前記殺菌効率を増加させることも既に行われている。
【０００５】
しかしながら、従来技術による紫外線殺菌装置は、水槽などに固定された状態にあり、任意の場所において、当該装置を稼動させるような構成、更には収容室内において、水の流動状況を変化させることによって、殺菌効率を高めるような構成は、提供されていない。
【特許文献１】特開平０３−３９０２３号公報。
【特許文献２】特開平０３−７７６９８号公報。
【特許文献３】特開２００２−１４７８４５号公報。
【発明の開示】
【発明が解決しようとする課題】
【０００６】
本発明は、携帯自在であり、かつ収容室内の水の流路に変化を生じさせ得るような紫外線殺菌装置の構成を提供することを課題としている。
【課題を解決するための手段】
【０００７】
前記課題を解決するため、本発明の基本構成は、ポンプによって水を紫外線発光源の収容室内に順次循環させることができる紫外線殺菌装置であって、当該収容室内において、紫外線発光源の周囲に水の素通りを防止することによって、水の流路を長くすることを可能とする板部を形成し、かつポンプと収容室とが一体形成されることによって携帯及び移動が自在であることに基づく紫外線殺菌装置からなる。
【発明の効果】
【０００８】
前記基本構成に基づき、本発明においては、水槽、池などの所望の水中内において、収容室内を循環する水に対し、効率的な殺菌を実現することができる。
【発明を実施するための最良の形態】
【０００９】
図３は、本発明の典型的な実施形態を示しており、ポンプ３が、収容室２と一体をなして固着されており、紫外線発光源１の収容室２において、水は流入口から流入した後、収容室２内を素通りせずに、紫外線発光源１の周囲に設けられた板部５に沿って流路が長くなるような状態にて移動し、流出口から排出されており、しかも流入口側にフィルター７を設け、予め浄化した水を前記収容室２内に循環させている。
【００１０】
前記のように、収容室２内において板部５を設け、かつ水の流路を長くしているのは、本発明の紫外線殺菌装置の場合には、ポンプ３と収容室２とが一体形成されており、しかも携帯及び移動が自在であることによって、装置全体が小型化し易いことを考慮し、収容室２内において、水に対する照射の機会を増大させ、ひいては殺菌効率を高めることを目的としている（尤も、収容室２内における水の移動速度を低くすることによって、紫外線の照射時間及び照射量を増大させることも考えられるが、そのような方法では、水の循環量自体が低下し、水槽又は池などの水を貯留している場所全体の殺菌効率を上昇させたことにはならない。）。
【００１１】
前記のような水の流路を長くする板部としては、水の素通りを防止し、流路を長くする形状及び組み合わせであることを必要としており、図３のような相互に交錯し合う平行状の板部５は、典型的な実施形態に該当する。
【００１２】
このような実施形態以外に、図４（ａ）、（ｂ）に示すように、紫外線発光源１の周囲において、スパイラル状又は相互に交錯し合うジグザグ状の形状を好適な実施形態として採用することができる。
【００１３】
図４（ａ）に示すようなスパイラル状の板部５の場合には、水は螺旋状に移動しながら、紫外線の照射を受け、図３に示すような相互に交錯し合う平行状の板部５の場合、及び図４（ｂ）に示すような相互に交錯し合うジグザグ状の板部５の場合には、水は蛇行した流動状況を示すことによって、紫外線による照射を受ける機会を増大させることになる。
【００１４】
前記の各板部５について、紫外線の反射を可能とするような鏡面状態とした場合には、紫外線は、当該板部５に吸収されずに、反射することによって、殺菌効率を更に高めることができる。
【００１５】
紫外線発光源１の収容室２の内壁２１の全て又は一部を鏡面とした場合には、照射した紫外線が最終的に前記各板部５及び内壁２１に対する照射によって減衰するに至るまで反射を繰り返し、その間収容室２内を循環する水を照射し、板部５を鏡面状態とした場合と同じように効率的な殺菌を行うことが可能となる。
【００１６】
図３に示すように、通常紫外線発光源１が細長形状であることを反映して、収容室２もまた細長形状に設計する場合が多いが、紫外線発光源１及び収容室２の形状は、必ずしも前記のような細長形状に限定される訳ではなく、かつこの点は、以下の如き実施例に示すとおりである。
【実施例１】
【００１７】
実施例１は、図１に示すように、紫外線発光源１の収容室２の内壁２１が、略球形状であり、全内壁２１が鏡面を形成していることを特徴としている（尚、図１においては、水の流路を長くする板部の図示を省略している。）。
【００１８】
光学上、完全球面内において、内壁の反射率をρとし、光源の光束をφとし、球面の全面積をＳとした場合、球面内壁の任意の位置における照度は、φρ／{Ｓ・（１−ρ）}であることが知られている。
【００１９】
実施例１のように、紫外線発光源１の収容室２の内壁２１を球形とし、かつ水の入口及び出口以外の全内壁２１について鏡面を形成した場合には、厳格に前記一般式のような照度が得られる訳ではないが、前記一般式の前提条件のように、紫外線の反射を半無限大状態にて繰り返すことによって、図３に示すような細長形状の収容室２の形状に比し、循環する水を均一かつ効率的な紫外線による照射を実現することができる。
【実施例２】
【００２０】
実施例２は、図２に示すように、紫外線発光源１の収容室２において、流出口において水を分流させ、この内の一部を水の流入口側に帰還させていることを特徴としている（尚、図２においても、水の流路を長くする板部の図示を省略している。）。
【００２１】
このように、紫外線発光源１の出口を分流し、かつ水を帰還させた場合には、帰還した水は改めて当該収容室２内において紫外線の照射による殺菌が行われることになり、水が帰還しない場合に比し、効率的な紫外線による照射、更には効率的な殺菌を行うことが可能となる。
【００２２】
無論、実施例１のような略球形状の収容室２の場合にも、実施例２のような帰還させる構成を採用することは当然可能である。
【産業上の利用可能性】
【００２３】
本発明は、魚及び水生植物の育成だけでなく、水中内における殺菌を必要とする全産業分野において利用することが可能である。
【図面の簡単な説明】
【００２４】
【図１】実施例１の構成を示す側断面図である。
【図２】実施例２の構成を示す側断面図である。
【図３】本発明の典型的実施形態を示す側断面図である。
【図４】板部に関する具体的な実施形態を示す側面図であり、（ａ）はスパイラル状の場合を示し、（ｂ）は相互に交錯し合うジグザグ状の場合を示す。
【符号の説明】
【００２５】
１  紫外線発光源
２  収容室
２１  内壁
３  ポンプ
４  水槽
５  板部
６  パイプ
７  フィルター
【図１】
2007296497.tif 000003
【図２】
2007296497.tif 000004
【図３】
2007296497.tif 000005
【図４】
2007296497.tif 000006